(57)【特許請求の範囲】
【請求項１】
撮像素子を設けた電子内視鏡と、この電子内視鏡が接続されるプロセッサ装置とを備えた電子内視鏡装置において、
上記電子内視鏡又はプロセッサ装置に配置され、電源投入以外の各種の操作をするための各種操作スイッチと、
撮像素子から画素信号を上下水平ライン間で混合して読み出す画素混合読出し方式の回路と、
この画素混合読出し方式の回路と共に配置され、所定の遮光期間を利用しながら上記撮像素子から全画素信号を読み出す全画素読出し方式の回路と、
上記画素混合読出し方式又は全画素読出し方式のいずれかを選択的に動作させる制御をすると共に、電源投入と同時に、上記各種操作スイッチのうちの予め設定されている所定のスイッチが押されているか否かを判別し、この所定のスイッチが電源投入時に押下されないとき、上記二つの読出し方式のうちの予め決められている一方の方式を実行し、所定のスイッチが電源投入時に押下されたときは、上記の二つの読出し方式のうちの他方の方式を実行する制御回路と、を備えたことを特徴とする電子内視鏡装置。
【請求項２】
上記所定のスイッチとして、電子内視鏡側の操作スイッチを用いたことを特徴とする上記請求項１記載の電子内視鏡装置。
【請求項３】
上記画素混合読出し方式又は全画素読出し方式のいずれの方式が動作中であるかを示す表示をモニタ画面上に付したことを特徴とする上記請求項１記載の電子内視鏡装置。
【発明の詳細な説明】
【０００１】
【発明の属する技術分野】
本発明は電子内視鏡装置、特に従来の画素混合読出し方式に加え、全画素を読み出す全画素読出し方式を選択的かつ容易に利用することができる電子内視鏡装置の構成に関する。
【０００２】
【従来の技術】
電子内視鏡装置において使用される固体撮像素子、例えばＣＣＤ（Ｃｈａｒｇｅ  Ｃｏｕｐｌｅｄ  Ｄｅｖｉｃｅ）では、光電変換素子により画素単位で蓄積される電荷を読み出すことにより、画像信号（ビデオ信号）が得られるようになっている。このようなＣＣＤで、同時式電子内視鏡装置に使用されるものでは、その上面に画素単位でＭｇ（マゼンタ）、Ｃｙ（シアン）、Ｇ（グリーン）、Ｙｅ（イエロー）の色フィルタが配置され、これによってカラー画像が形成される。
【０００３】
そして、従来の色差線順次混合読出し（画素混合読出し）方式によれば、ＣＣＤから上下水平ラインの画素の蓄積電荷が加算混合されて読み出され、これによって奇数フィールドと偶数フィールドのビデオ信号が例えば１／６０秒のタイミングで順次形成される。その後、これらの奇数フィールド信号と偶数フィールド信号は、インターレース走査されて１フレームの画像として形成され、この画像がモニタ上に動画として表示される。
更に、このような電子内視鏡装置では、操作部にフリーズスイッチが配置されており、このフリーズスイッチが押されたときには、そのときの静止画が形成、表示される。
【０００４】
【発明が解決しようとする課題】
しかしながら、上記の画素混合読出し方式においては、１フレーム画像を形成するための奇数フィールド画像と偶数フィールド画像との間（２回の露光の間）に、１／６０秒の時間のずれがあり、この間に内視鏡自体のブレや被観察体の動き等があると、画質（解像度、色ずれ等）が低下するという問題がある。
【０００５】
また、電子内視鏡装置では、信号の蓄積時間を変える電子シャッタ機能が多く採用されており、これによれば、近距離で明るい場所等において蓄積時間を短くすれば画質の向上を図ることができる。しかし、上記の１／６０秒のタイムラグがあるため、静止画等においては、蓄積時間を短くした効果が十分に享受できないという不都合もある。
【０００６】
本発明は上記問題点に鑑みてなされたものであり、その目的は、従来の画素混合読出し方式に加えて、高画質の画像を得ることができる全画素読出し方式を提案すると共に、これらの方式の選択が容易にできる電子内視鏡装置を提供することにある。
【０００７】
【課題を解決するための手段】
上記目的を達成するために、第１請求項の発明は、撮像素子を設けた電子内視鏡と、この電子内視鏡が接続されるプロセッサ装置とを備えた電子内視鏡装置において、上記電子内視鏡又はプロセッサ装置に配置され、電源投入以外の各種の操作をするための各種操作スイッチと、撮像素子から画素信号を上下水平ライン間で混合して読み出す画素混合読出し方式の回路と、この画素混合読出し方式の回路と共に配置され、所定の遮光期間を利用しながら上記撮像素子から全画素信号を読み出す全画素読出し方式の回路と、上記画素混合読出し方式又は全画素読出し方式のいずれかを選択的に動作させる制御をすると共に、電源投入と同時に、上記各種操作スイッチのうちの予め設定されている所定のスイッチが押されているか否かを判別し、この所定のスイッチが電源投入時に押下されないとき、上記二つの読出し方式のうちの予め決められている一方の方式を実行し、所定のスイッチが電源投入時に押下されたときは、上記の二つの読出し方式のうちの他方の方式を実行する制御回路と、を備えたことを特徴とする。
請求項２に係る発明は、上記所定のスイッチとして、電子内視鏡側の操作スイッチを用いたことを特徴とする。
請求項３に係る発明は、上記画素混合読出し方式又は全画素読出し方式のいずれの方式が動作中であるかを示す表示をモニタ画面上に付したことを特徴とする。
【０００８】
上記の構成によれば、装置に画素混合読出し方式の回路と全画素読出し方式の回路が備えられ、例えば全画素読出し方式が優先的に実行されるように設定されている場合では、電子内視鏡の例えばフリーズスイッチ（その他の既存のスイッチでもよい）を押しながら電源を入れると、制御回路がフリーズスイッチの押下信号を検出することにより全画素読出し方式の動作が実行される。
【０００９】
この全画素読出し方式は、例えば１／６０秒毎の期間（垂直同期期間）内での露光（露光時間は任意）により固体撮像素子に蓄積された電荷につき、次の遮光期間（遮光手段で遮光される）で例えば奇数ラインの信号を読み出し、次の期間（露光期間）で偶数ラインの信号を読み出すことにより、１回の露光で得られた全画素の信号を抽出するものである。これによれば、時間的にずれのないデータで１フィールドの画像が形成されるので、特に静止画において高画質となる。
【００１０】
請求項３の発明によれば、例えば全画素読出し方式の動作中は”Ｈ”、画素混合読出し方式の動作中は”Ｌ”がモニタ画面上に表示され、この文字表示で動作方式が容易に確認できることになる。
【００１１】
【発明の実施の形態】
図１には、実施形態の第１例である電子内視鏡装置の回路構成が示され、図２には固体撮像素子の色フィルタの構成と画素混合読出し方式及び全画素読出し方式の両処理が示され、図３には装置の全体図が示されている。この図３において、当該電子内視鏡装置は電子スコープ（電子内視鏡）１がコネクタ部２を介して光源装置３に接続され、またコネクタ４を介してプロセッサ装置５に接続される構成となる。そして、上記電子スコープ１にはフリーズスイッチ６Ａ、ＶＴＲスイッチ６Ｂ、ズームスイッチ６Ｃ等が配置され、上記プロセッサ装置５には電源スイッチ７Ａ、輪郭補正スイッチ７Ｂ、シャッタスピードスイッチ７Ｃ等が配置される。
【００１２】
図１において、電子スコープ１の先端部に色フィルタを備えたＣＣＤ１１が設けられており、このＣＣＤ１１の色フィルタは、図２（Ａ）に示されるように、画素単位で例えば偶数ラインにＭｇ（マゼンタ）、Ｃｙ（シアン）のフィルタ、奇数ラインにＧ（グリーン）、Ｙｅ（イエロー）のフィルタが交互に配置される。そして、カラー画像処理においては、これらの色フィルタを介して得られた信号を混合演算することによりカラー画像信号が形成される。
【００１３】
このＣＣＤ１１には、これを駆動するためのＣＣＤ駆動回路１２が接続され、この駆動回路１２はマイコン１４によって制御されることにより、画素混合読出し方式と全画素読出し方式の両方の駆動を行う。例えば、全画素読出し方式の場合は、１回の露光でＣＣＤ１１に蓄積された全画素分の蓄積データを、奇数ラインと偶数ラインに分けて読み出すための時間がずれた２種類のパルス（Ｐ１，Ｐ２）を上記ＣＣＤ駆動回路１２から供給し、これにより上記奇数ラインの信号と偶数ラインの信号を別々に順次読み出す。一方、画素混合読出し方式では１種類の読出しパルスを各ラインに与える。また、上記マイコン１４は当該電子スコープ１の統括制御を行うと共に、上述したフリーズスイッチ６Ａ等のスイッチ６から入力した操作信号等に基づいて、動作方式を選択する制御を行う。
【００１４】
一方、上記ＣＣＤ１１には、アナログ信号をデジタル変換するＡ／Ｄ変換器１５が設けられ、このＡ／Ｄ変換器１５の後段に、ａルートを介して画素混合読出しモードと全画素読出しモードを切り換える方式切換え器１６、ビデオ信号に対し所定のカラー画像処理を実行するデジタルシグナルプロセッサ（ＤＶＰ）１７が設けられる。このＤＶＰ１７は、内部にタイミングジェネレータ（ＴＧ）を含み、例えばホワイトバランス、ガンマ補正、輪郭補正、像位置の制御、拡大処理等等の各種の処理を行う。
【００１５】
また、プロセッサ装置５において、上記ＤＶＰ１７に接続して、奇数フィールドデータ及び偶数フィールドデータを記憶する第４メモリ１８及び第５メモリ１９、切替え回路２０、Ｄ／Ａ変換器２１、そしてマイコン２２が設けられる。標準の画素混合読出し方式では、上記方式切換え器１６がａルートを選択しており、このａルートを介して入力されるビデオ信号に基づき、上記の構成で動画と静止画を形成することになる。なお、上述した電源スイッチ７Ａを含む各種のスイッチ７の操作信号は上記マイコン２２へ供給される。
【００１６】
更に、光源装置３では、ランプ２４、絞り２５が設けられ、このランプ２４の出力光がライトガイド２６によりスコープ先端まで導かれる。上記ランプ２４は、ランプ駆動回路２７で点灯駆動され、上記絞り２５は絞り制御回路２８で制御されており、この絞り制御回路２８は輝度信号に基づき画面の明るさが一定となるように絞り２５の開口量を可変制御する。そして、当該例では、全画素読出し方式の処理のために、上記絞り２５とライトガイド２６の入射端との間に、例えば半円状板からなる遮光板３０が配置され、この遮光板３０は遮光板制御回路３１で回転駆動される。この遮光板３０と遮光板制御回路３１は、全画素読出し方式の実行時に、１／６０秒毎のサイクルとなるフィールドＯ／Ｅ信号の期間において交互に光を遮断し、１回の露光で得られた全画素を読み出せるようにする。
【００１７】
そうして、当該例では、図示されるように既に全画素読出し方式回路基板３３が取り付けられているが、この回路基板３３は、着脱自在となるコネクタ等の一般的な接続手段により装置の所定の位置に取付け・接続可能とされ、この取付けは選択的でかつ任意となっている。この全画素読出し方式回路基板３３には、例えば奇数ラインの画像データを記憶する第１メモリ３４、偶数ラインの画像データを記憶する第２メモリ３５、上記第１メモリ３４のデータをそのまま記憶し、読出しのタイミングを１／６０秒だけ遅らせるための位相調整用の第３メモリ３６、混合回路３７、メモリ制御回路３８を実装する。
【００１８】
即ち、ＣＣＤ１１で得られた全画素信号は、奇数ラインのデータと偶数ラインのデータに分けられた状態で、それぞれのメモリ３４，３５に一旦格納され、第１メモリ３４の奇数ラインデータは１／６０秒遅れて第２メモリ３５の偶数ラインデータと同一位相にされる。その後、次段の混合回路３７では、第３メモリ３６の奇数ラインの画素データと第２メモリ３５の偶数ラインの画素データが加算混合され、上記の画素混合読出し方式と同様の画素混合信号が形成される。
【００１９】
このような全画素読出し方式回路基板３３は、その取付け状態が上記マイコン１４により判別されることになる。例えば、所定端子における非接続時の出力状態をＬｏｗ、接続時の出力状態をＨｉｇｈとすることにより、全画素読出し方式回路基板３３の存在を検出することができる。そして、この回路基板３３の存在を確認した場合は、マイコン１４は上記方式切換え器１６により信号ラインをａルートからｂルートに切り換え、ＣＣＤ駆動回路１２や遮光板制御回路３１についても全画素読出し方式の処理に切り換える。
【００２０】
また、上記マイコン１４では、上記プロセッサ装置５の電源スイッチ７Ａにより電源が投入された時に、上述した電子スコープ１の操作部に配置された各種スイッチ６のうち、例えば静止画を形成するためのフリーズスイッチ６Ａ（その他のスイッチでもよい）が押下されているか否か（フリーズ信号）を検出し、このフリーズ信号を検出したときは、全画素読出し方式ではなく、画素混合読出し方式を選択して実行する。
【００２１】
第１例は以上の構成からなり、まず図２により、上記画素混合読出し方式と全画素読出し方式の処理の相違を説明する。図２（Ａ）に示されるように、画素単位で色フィルタが設けられたＣＣＤ１１では、走査線数に対応して、０ラインからＮラインまで水平ラインが設けられ、この水平ラインの画素データを転送ラインに転送して読み出すように構成される。そして、画素混合読出し方式では、図２（Ｂ）に示されるように、ＣＣＤ１１から直接、０ライン＋１ライン，２ライン＋３ライン，４ライン＋５ライン…の加算信号〔ｏ（奇数ライン）＋ｅ（偶数ライン）〕と、１ライン＋２ライン，３ライン＋４ライン，５ライン＋６ライン…の加算信号〔（ｏ＋ｅ）’〕が１期間（１／６０秒）毎に交互に読み出される（この両信号は異なる露光期間で得られる）。そして、これらの信号は、図２（Ｄ）に示されるように、奇数（Ｏｄｄ）フィールドデータ及び偶数（Ｅｖｅｎ）フィールドデータとして第４及び第５メモリ１８，１９に出力される。
【００２２】
一方、全画素読出し方式では、図２（Ｃ）に示されるように、１回の露光で得られた全画素信号につき、１，３，５…の奇数ラインの信号（遮光期間）と、０，２，４…の偶数ラインの信号（次の期間）が読み出される。その後、混合回路３７により、これらの奇数ラインと偶数ラインの信号同士が図示の実線〔ｏ＋ｅ〕と点線〔（ｏ＋ｅ）’〕のように加算され、最終的には、図２（Ｄ）の奇数フィールドデータと偶数フィールドデータとなって第４及び第５メモリ１８，１９に出力される。
【００２３】
図４には、上記マイコン１４での方式切換え動作が示されており、プロセッサ装置５の電源スイッチ７Ａが押下され電源がオンすると、図示されるように、ステップ１０１では全画素読出し方式回路基板３３が存在するか否かの判定が行われ、”ＮＯ”のときはステップ１０３にて画素混合読出し方式の動作を実行し、”ＹＥＳ”のときはステップ１０２へ移行する。このステップ１０２では、所定のスイッチ、当該例ではフリーズスイッチ６Ａが同時に押されているか否かが判定され、”ＮＯ”のときはステップ１０４にて全画素読出し方式の動作を実行する。しかし、”ＹＥＳ”のときはステップ１０３に移行して画素混合読出し方式の動作を実行することになる。
【００２４】
即ち、画素混合読出し方式を標準とし、使用者等の選択で、全画素読出し方式回路３３を取り付けた場合は、全画素読出し方式が自動的に選択されるようになるが、電源投入時に同時にフリーズスイッチ６Ａが押された場合は、画素混合読出し方式に戻せるようにする。なお、この第１例では、全画素読出し方式回路３３を後に取付け可能としたが、この回路３３が標準で装着されていてもよいことになり、この場合は、上記図４においてステップ１０１の判定を省略してもよい。
【００２５】
次に、各方式での信号処理の動作を説明する。図５及び図６には、画素混合読出し方式（Ａ方式）の画像処理タイミングが示されており、上述したように、電源投入時にフリーズスイッチ６が押されたとき（又は全画素読出し方式回路基板３３の存在が検出されないとき）は、画素混合読出し方式が実行される。図５は、動画形成時の処理タイミングであり、図５（Ａ）に示されるように、画像処理では例えば１／６０秒毎のフィールドＯ（Ｏｄｄ）／Ｅ（Ｅｖｅｎ）信号が用いられる。また、図５（Ｂ）のように、光源光はライトガイド２６を介して常に与えられ、図５（Ｃ），（Ｄ）のように、読出しパルスは同一のものとなる。
【００２６】
そして、ＣＣＤ１１からは図２（Ｂ）で説明した画素混合信号がａルートを介して出力され、図５（Ｅ）のように、第４メモリ１８には、Ｏ１のフィールド期間で蓄積された（ｏ＋ｅ）１、Ｏ２の期間で蓄積された（ｏ＋ｅ）２、Ｏ３の期間で蓄積された（ｏ＋ｅ）３  …  の混合信号が書き込まれ、第５メモリ１９には、Ｅ１のフィールド期間で蓄積された（ｏ＋ｅ）１’、Ｅ２の期間で蓄積された（ｏ＋ｅ）２’、Ｅ３の期間で蓄積された（ｏ＋ｅ）３’  …  の混合信号（組合せラインが異なるもの）が書き込まれる。その後、これらのビデオ信号は、図（Ｇ），（Ｈ）に示されるように、１期間遅れて読み出され、これがモニタに出力されることによりモニタ上に動画が表示される。
【００２７】
図６は、フリーズスイッチ６Ａの操作（フリーズ信号）に基づいて形成される静止画のタイミングであり、例えば図６（Ｂ）に示されるタイミングでフリーズトリガーを出力したとすると、図（Ｃ）のように、Ｏ１期間（図Ａ）の露光で蓄積された（ｏ＋ｅ）１の混合信号が第４メモリ１８に書き込まれ、また、図（Ｄ）のように、次のＥ１期間の露光で蓄積された（ｏ＋ｅ）１’の混合信号が第５メモリ１９に書き込まれ、その後のこれらのメモリ１８，１９への書込みが禁止される。そして、これらのビデオ信号は図（Ｅ），（Ｆ）に示されるように繰り返し読み出されることにより、モニタ上に静止画が表示される。
【００２８】
図７乃至９には、全画素読出し方式（Ｂ方式）の画像処理タイミングが示されており、電源投入時に上記全画素読出し方式回路基板３３の存在が検出され、かつフリーズスイッチ６Ａが押されなかった場合に、この全画素読出し方式が上記マイコン１４により実行される。図７及び図８は、動画形成時の処理タイミングであり、この場合は、図７（Ａ）のフィールドＯ／Ｅ信号に相応して図１の遮光板３０が回転駆動されることにより、図７（Ｂ）のように、例えば奇数フィールド期間（１／６０秒）毎に光が出力される。また、図７（Ｃ）のような１／３０秒毎の読出しパルスＰ１とこのパルスＰ１と１期間ずれた、図７（Ｄ）の読出しパルスＰ２がＣＣＤ１１に与えられる。
【００２９】
そうすると、ＣＣＤ１１からは図２（Ｃ）で説明した奇数ラインと偶数ラインの信号がｂルートを介して入力され、図７（Ｅ）のように、第１メモリ３４には、Ｏ１のフィールド期間で蓄積されたｏ１、Ｏ２の期間で蓄積されたｏ２、Ｏ３の期間で蓄積されたｏ３  …  の奇数ライン信号が書き込まれ、第２メモリ３５には、Ｅ１のフィールド期間で蓄積されたｅ１、Ｅ２の期間で蓄積されたｅ２、Ｅ３の期間で蓄積されたｅ３  …  の偶数ラインの信号が書き込まれる。
【００３０】
そして、これらの奇数及び偶数ライン信号は、図８（Ｇ），（Ｈ）のように２回ずつ読み出されるが、この図８（Ｇ）の点線の丸で示した読出し信号については、第３メモリ３６へ書き込まれ、図８（Ｉ）のように、この第３メモリ３６のビデオ信号も２回ずつ読み出される。次に、この図８（Ｈ），（Ｉ）の信号は、混合回路３７で図２（Ｃ）のように画素混合され、図８（Ｊ）のように、第４メモリ１８には、ｏ１＋ｅ１、ｏ２＋ｅ２、ｏ３＋ｅ３  …  の信号が書き込まれ、第５メモリ１９には、（ｏ１＋ｅ１）’、（ｏ２＋ｅ２）’、（ｏ３＋ｅ３）’  …  の信号が書き込まれる。その後、これらのビデオ信号は、図８（Ｌ），（Ｍ）に示されるように、１期間遅れて読み出され、これがモニタに出力されることによりモニタ上に動画が表示される。
【００３１】
図９は、フリーズ信号に基づいて形成される静止画のタイミングであり、例えば図９（Ｂ）に示されるタイミング（実線位置でも点線位置でもよい）でフリーズトリガーを出力したとすると、図９（Ｃ）のように、Ｏ１期間の露光で蓄積されたｏ１の信号が第１メモリ３４に書き込まれ、その後の例えば３期間が書込み禁止とされ、また、図９（Ｄ）のように、上記のＯ１期間の露光で蓄積されたｅ１の信号が第２メモリ３５に書き込まれ、その後の例えば３期間が書込み禁止とされる。
【００３２】
そして、これらの信号は、図９（Ｅ），（Ｆ），（Ｇ）のように、繰り返し読み出され、混合回路３７で加算混合される。次に、図９（Ｈ），（Ｉ）のように、第４メモリ１８には、ｏ１＋ｅ１の信号が書き込まれ、第５メモリ１９には、（ｏ１＋ｅ１）’の信号が書き込まれ、その後は書込み禁止とされる。次に、これらのビデオ信号は、図（Ｊ），（Ｋ）に示されるように、１期間遅れて繰り返し読み出されることにより、モニタ上に静止画が表示される。
【００３３】
このような実施形態例の全画素読出し方式では、１回の露光で得られた画素信号によって１枚の画像を形成できるので、高画質となり、特に静止画での観察において有用となる。
【００３４】
上記第１例では、電源投入時に画素混合読出し方式を選択するスイッチとして、電子スコープ１側の操作スイッチを用いたが、この代わりに、プロセッサ装置５に設けられた輪郭補正スイッチ７Ｂ、シャッタスピードスイッチ７Ｃ等のスイッチを用いてもよい。この場合は、プロセッサ装置５のマイコン２２から電源投入時に上記のスイッチ７Ｂ，７Ｃ等の操作信号が入力されたことを、電子スコープ１のマイコン１４に伝送することにより実行できる。
【００３５】
図１０及び１１には、現在動作中の処理方式をモニタ上に表示する第２例の構成が示されている。この第２例は、上記第１例と同様の構成において図１０に示されるように、ＤＶＰ１７と第４及び第５メモリ１８，１９の間に、キャラクタジェネレータを含む文字混合回路４０を設けており、この文字混合回路４０によって、文字画像を映像信号に付加することができる。これによれば、図１１に示されるように、モニタ４１の画面右上等に方式を示す文字等が表示され、当該例では、例えば画素混合読出し方式がＮ、全画素読出し方式がＨで表される。なお、この表示は図柄等でもよい。
【００３６】
上記実施形態例では、全画素読出し方式回路基板３３の取付けを選択的にしたが、この回路３３を最初から標準で設けるように構成してもよいし、上記の画素混合読出し方式と全画素読出し方式の関係を逆に構成してもよく、両方式の回路部が存在する場合に、画素混合読出し方式を優先的に動作させ、電源投入時に同時にフリーズスイッチ６Ａ等が押されたとき、全画素読出し方式を動作させるようにしてもよい。
【００３７】
【発明の効果】
以上説明したように、本発明によれば、画素混合読出し方式又は全画素読出し方式のいずれかを選択的に動作できるようにすると共に、電源投入時に、電源スイッチ以外の所定のスイッチが押されているか否かを判別して、上記の二つの方式のいずれかを実行するようにしたので、例えば、全画素読出し方式で動作するように設定されている場合でも、必要に応じて画素混合読出し方式に容易に切り換えることができ、高画質の静止画を得ることができる全画素読出し方式と従来の画素混合読出し方式の両方の利用を促進することが可能となる。
【００３８】
また、請求項２の発明によれば、上記所定のスイッチとして電子内視鏡側の既存の操作スイッチを用いることにより、プロセッサ装置に関係なく電子スコープ側で方式の切換えができ、方式切換えのための回路構成が簡単になるという利点がある。
【００３９】
更に、請求項３の発明によれば、現在の表示画像が画素混合読出し方式又は全画素読出し方式のいずれの方式で得られたものであるかをモニタ画面上で容易に確認できるという利点がある。
【図面の簡単な説明】
【図１】本発明の実施形態の第１例に係る電子内視鏡装置の回路構成を示すブロック図である。
【図２】実施形態例におけるＣＣＤの色フィルタ構造と画素混合読出し方式及び全画素読出し方式の両処理を示す説明図である。
【図３】実施形態例の電子内視鏡装置の全体構成を示す斜視図である。
【図４】実施形態例のマイコンでの動作を示す図である。
【図５】実施形態例の画素混合読出し方式（Ａ方式）における動画形成時の動作を示す波形図である。
【図６】上記画素混合読出し方式（Ａ方式）における静止画形成時の動作を示す波形図である。
【図７】実施形態例の全画素読出し方式（Ｂ方式）おける動画形成時の動作を示す波形図である。
【図８】上記全画素読出し方式（Ｂ方式）の動画形成時における図７の続きの動作を示す波形図である。
【図９】上記全画素読出し方式（Ｂ方式）における静止画形成時の動作を示す波形図である。
【図１０】実施形態の第２例の回路構成を示すブロック図である。
【図１１】第２例におけるモニタ上の表示状態を示す図である。
【符号の説明】
１  …  電子スコープ（電子内視鏡）、
５  …  プロセッサ装置、
６（Ａ，Ｂ，Ｃ），７（Ａ，Ｂ，Ｃ）  …  スイッチ、
１１  …  ＣＣＤ、  １２  …  ＣＣＤ駆動回路、
１４，２２  …  マイコン、
１６  …  方式切換え回路、
１８，１９，３４，３５，３６  …  メモリ、
３０  …  遮光板、  ３１  …  遮光板制御回路、
３３  …  全画素読出し方式回路基板。
【図１】
0003621840.tif 000002
【図２】
0003621840.tif 000003
【図３】
0003621840.tif 000004
【図４】
0003621840.tif 000005
【図５】
0003621840.tif 000006
【図６】
0003621840.tif 000007
【図７】
0003621840.tif 000008
【図８】
0003621840.tif 000009
【図９】
0003621840.tif 000010
【図１０】
0003621840.tif 000011
【図１１】
0003621840.tif 000012